(57)【特許請求の範囲】
【請求項１】
表示部上にタッチ入力部を備えた撮像装置であって、
予め任意に設定されたタイマ時間に応じてタイマ撮影を行うタイマ撮影手段と、
前記表示部に複数の目盛りからなる時間目盛りを表示する第１の表示制御手段と、
前記タッチ入力部へのタッチ操作のタッチ位置が、前記第１の表示制御手段により表示されている複数の目盛りのうちのいずれかの上、あるいはいずれかの近辺である場合に、その目盛りに対応する時間を前記タイマ撮影用のタイマ時間として設定する設定手段と、
を備え、
前記設定手段は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とする撮像装置。
【請求項２】
前記設定手段により設定されたタイマ時間を、前記タッチ位置に対応して、前記表示部上で識別可能に表示する第２の表示制御手段を更に備える、
ようにしたことを特徴とする請求項１に記載の撮像装置。
【請求項３】
前記設定手段は、前記タッチ操作がなぞり操作でない場合の複数の前記タッチ操作のタッチ位置の個々に対応する時間を前記タイマ撮影の開始時間のみのタイマ時間としてそれぞれ設定し、
前記第２の表示制御手段は、前記設定手段により設定されたそれぞれのタイマ時間を、前記複数のタッチ位置に対応して、前記表示部上で識別表示し、
前記タイマ撮影手段は、前記設定手段によって設定された複数のタイマ時間に応じてタイマ撮影を順次実行する、
ようにしたことを特徴とする請求項２に記載の撮像装置。
【請求項４】
前記第２の表示制御手段は、数値表示により前記タイマ時間を、前記表示部上で識別表示する、
ようにしたことを特徴とする請求項２あるいは請求項３に記載の撮像装置。
【請求項５】
前記第２の表示制御手段は、前記タイマ撮影手段によりタイマ撮影が終了したタイマ間に対応する前記識別表示の表示形態を変更する、
ようにしたことを特徴とする請求項２〜請求項４のいずれかに記載の撮像装置。
【請求項６】
前記タイマ撮影手段は、前記設定手段により前記のタッチ操作がなぞり操作の場合に前記設定手段により設定される前記タイマ撮影の開始時間及び終了時間とする連続撮影のタイマ時間で連写撮影又はバルブ撮影を行う、
ようにしたことを特徴とする請求項１〜請求項５のいずれかに記載の撮像装置。
【請求項７】
前記第２の表示制御手段は、前記タイマ撮影手段による連続撮影中に前記識別表示の表示形態を変更する、
ようにしたことを特徴とする請求項１〜請求項６のいずれかに記載の撮像装置。
【請求項８】
前記設定手段は、前記タッチ操作のタッチの仕方に応じた種類の撮影方法を、更に設定し、
前記タイマ撮影手段は、前記設定手段により設定された撮影方法でタイマ撮影を行う、
ようにしたことを特徴とする請求項１〜請求項７のいずれかに記載の撮像装置。
【請求項９】
前記設定手段は、前記タッチ操作がなぞり操作でない場合に、当該タッチ操作中のタッチ時間又はタッチの強さに応じた種類の撮影方法を設定する、
ようにしたことを特徴とする請求項８に記載の撮像装置。
【請求項１０】
前記設定手段は、前記タッチ操作がなぞり操作の場合にそのなぞり速度に応じた種類の撮影方法を設定する、
ようにしたことを特徴とする請求項８に記載の撮像装置。
【請求項１１】
前記設定手段は、前記なぞり速度に応じた連写撮影の速度を設定する、
ようにしたことを特徴とする請求項１１に記載の撮像装置。
【請求項１２】
前記設定手段は、前記撮影方法の一つとしてフラッシュ撮影又はブラケット撮影を設定する、
ようにしたことを特徴とする請求項８〜請求項１１のいずれかに記載の撮像装置。
【請求項１３】
前記第１の表示制御手段が表示する前記時間目盛りは、実時間に対応した複数の目盛りからなり、
前記設定手段は、前記タッチ位置が、前記実時間に対応した複数の目盛りのうちのいずれかの上、あるいはいずれかの近辺である場合に、その目盛りに対応する実時間を前記タイマ撮影用のタイマ時間として設定する、
ようにしたことを特徴とする請求項１〜請求項１２のいずれかに記載の撮像装置。
【請求項１４】
予め任意に設定されたタイマ時間に応じてタイマ撮影を行う処理と、
表示部に複数の目盛りからなる時間目盛りを表示する処理と、
前記表示部上のタッチ入力部へのタッチ操作のタッチ位置が、前記表示されている複数の目盛りのうちのいずれかの上、あるいはいずれかの近辺である場合に、その目盛りに対応する時間を前記タイマ撮影用のタイマ時間として設定する処理と、
を含み、
前記設定処理は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とする撮像処理方法。
【請求項１５】
コンピュータに対して、
予め任意に設定されたタイマ時間に応じてタイマ撮影を行う機能と、
表示部に複数の目盛りからなる時間目盛りを表示する機能と、
前記表示部上のタッチ入力部へのタッチ操作のタッチ位置が、前記表示されている複数の目盛りのうちのいずれかの上、あるいはいずれかの近辺である場合に、その目盛りに対応する時間を前記タイマ撮影用のタイマ時間として設定する機能と、
を実現させ、
前記設定機能は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とするプログラム。
【発明の詳細な説明】
【技術分野】
【０００１】
本発明は、表示部上にタッチ入力部を備えた撮像装置及び撮像処理方法並びにプログラムに関する。
【背景技術】
【０００２】
一般に、デジタルカメラなどの撮像装置には、一定時間後の任意のタイミングで撮影を行う機能としてセルフタイマ機能が搭載され、また、一定間隔で撮影を行う機能としてインターバルタイマ機能が搭載されている。このセルフタイマ機能は、撮影者自身が被写体になる場合や手振れを防止する場合などに利用され、また、インターバルタイマ機能は、定点観測撮影を行う場合などで利用されている。
ところで、従来では、カメラのレリーズ装置（外部装置）にセルフタイマ機能のタイマ時間やインターバル機能のインターバル時間を任意に設定する機能を持たせた技術が開示されている（特許文献１参照）。
【先行技術文献】
【特許文献】
【０００３】
【特許文献１】特開特開平８−６１１１号公報
【発明の概要】
【発明が解決しようとする課題】
【０００４】
このようなタイマ機能においては、任意のタイミング毎に複数の撮影を行いたいという要求に対して、例えば、１０秒後、１２秒後、１８秒後、２０秒後にそれぞれ撮影を行いたいという要求に対して、複数のタイマ時間（１０秒後、１２秒後、１８秒後、２０秒）を設定しなければならないが、その設定数が多くなればなるほど、設定操作が煩雑で面倒なものとなり、また、同じタイマ時間を何回も間違って設定しようとしたり、設定漏れがあったりするなど、間違いも多くなり、撮影現場で複数のタイマ時間を設定することは、撮影者にとって大きな負担となってしまう。
【０００５】
本発明の課題は、ユーザ操作によりタイマ撮影用として多くのタイマ時間を設定する場合であっても、簡単で直観的に分かり易い設定を実現できるようにすることである。
【課題を解決するための手段】
【０００６】
上述した課題を解決するために本発明の撮像装置は、
表示部上にタッチ入力部を備えた撮像装置であって、
予め任意に設定されたタイマ時間に応じてタイマ撮影を行うタイマ撮影手段と、
前記表示部に複数の目盛りからなる時間目盛りを表示する第１の表示制御手段と、
前記タッチ入力部へのタッチ操作のタッチ位置が、前記第１の表示制御手段により表示されている複数の目盛りのうちのいずれかの上、あるいはいずれかの近辺である場合に、その目盛りに対応する時間を前記タイマ撮影用のタイマ時間として設定する設定手段と、
を備え、
前記設定手段は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とする撮像装置である。
【０００７】
上述した課題を解決するために本発明の撮像処理方法は、
予め任意に設定されたタイマ時間に応じてタイマ撮影を行う処理と、
表示部に複数の目盛りからなる時間目盛りを表示する処理と、
前記表示部上のタッチ入力部へのタッチ操作のタッチ位置が、前記表示されている複数の目盛りのうちのいずれかの上、あるいはいずれかの近辺である場合に、その目盛りに対応する時間を前記タイマ撮影用のタイマ時間として設定する処理と、
を含み、
前記設定処理は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とする撮像処理方法である。
【０００８】
上述した課題を解決するために本発明のプログラムは、
コンピュータに対して、
予め任意に設定されたタイマ時間に応じてタイマ撮影を行う機能と、
表示部に複数の目盛りからなる時間目盛りを表示する機能と、
前記表示部上のタッチ入力部へのタッチ操作のタッチ位置が、前記表示されている複数の目盛りのうちのいずれかの上、あるいはいずれかの近辺である場合に、その目盛りに対応する時間を前記タイマ撮影用のタイマ時間として設定する機能と、
を実現させ、
前記設定機能は、前記タッチ入力部へのタッチ操作がなぞり操作の場合であって、当該なぞり操作のタッチ開始位置及び終了位置が、前記第１の表示制御手段により表示されている複数の目盛りのうちのいずれかの上、あるいはいずれかの近辺である場合に、それらの目盛りに対応する時間各々を前記タイマ撮影の開始時間及び終了時間とする連続撮影のタイマ時間として設定する、
ことを特徴とするプログラムである。
【発明の効果】
【０００９】
本発明によれば、ユーザ操作によりタイマ撮影用として多くのタイマ時間を設定する場合であっても、簡単で直観的に分かり易い設定を実現することができ、操作性の大幅な向上を期待することが可能となる。
【図面の簡単な説明】
【００１０】
【図１】撮像装置として適用したデジタルカメラの基本的な構成要素を示したブロック図。
【図２】タッチ入力表示部６に表示されるタイマ撮影用画面を説明するための図。
【図３】（１）〜（３）は、撮影方法（１）テーブル３Ｂ、撮影方法（２）テーブル３Ｃ、タイマ設定情報メモリ３Ｄを説明するための図。
【図４】電源投入に応じて実行開始されるデジタルカメラの全体動作のうち、本実施形態の特徴部分の動作概要を示したフローチャート。
【図５】図４の動作に続くフローチャート。
【図６】（１）、（２）は、タイマ撮影に応じて変遷するタイマ撮影用画面の表示変遷図。
【図７】（１）〜（３）は、本発明の変形例を説明するための図で、タイマ撮影に応じて変遷するタイマ撮影用画面の表示変遷図。
【図８】本発明の変形例における撮影方法（３）テーブル３Ｅを説明するための図。
【発明を実施するための形態】
【００１１】
以下、図１〜図６を参照して本発明の実施形態を説明する。
図１は、撮像装置として適用したデジタルカメラの基本的な構成要素を示したブロック図である。
このデジタルカメラ（撮像装置）は、撮像機能、計時機能などの基本的な機能のほかに、タッチ操作による入力が可能なタッチ入力機能を備え、静止画像のほかに動画像の撮影も可能なコンパクトカメラである。制御部１は、電源部（二次電池）２からの電力供給によって動作し、記憶部３内の各種のプログラムに応じてこのデジタルカメラ（以下、カメラと略称する）の全体動作を制御するもので、この制御部１には図示しないＣＰＵ（中央演算処理装置）やメモリなどが設けられている。
【００１２】
記憶部３は、例えば、ＲＯＭ、フラッシュメモリなどを有する構成で、後述する図４及び図５に示した動作手順に応じて本実施形態を実現するためのプログラムや各種のアプリケーションなどが格納されているプログラムメモリ３Ａと、後述する撮影方法（１）テーブル３Ｂ、撮影方法（２）テーブル３Ｃ、タイマ設定情報メモリ３Ｄなどを有するほか、このカメラが動作するために必要となる各種の情報（例えば、フラグなど）を一時的に記憶するワーク領域を有する構成となっている。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
操作部４は、図示省略したが、撮影が可能な動作モード（撮影モード）と、撮影済み画像（保存画像）を再生する動作モード（再生モード）とを切り換えるモード変更ボタンと、撮影開始を指示するレリーズボタンのほかに、露出やシャッタスピードなどの撮影条件の設定操作、再生対象を選択する画像選択操作などを行う押しボタン式の各種のキーを備えたもので、制御部１は、この操作部４からの入力操作信号に応じた処理として、例えば、モード変更処理、撮影処理、撮影条件の設定、画像選択処理などを行う。
【００１４】
撮像部５は、図示省略したが、光学レンズからの被写体像が撮像素子（ＣＣＤやＣＭＯＳなど）に結像されることにより被写体を高精細に撮影可能なカメラ部を構成するもので、撮像素子によって光電変換された画像信号（アナログ値の信号）は、色分離やＲＧＢの色成分毎のゲイン調整などが行われた後、デジタル値のデータに変換される。そして、デジタル変換された画像データは、色補間処理（デモザイク処理）が施されて表示部６Ａにフルカラー表示される。また、撮像部５は制御部１の制御下で、オートフォーカス処理（ＡＦ処理）、露出調整処理（ＡＥ処理）、オートホワイトバランス調整処理（ＡＷＢ処理）、画像圧縮処理、画像復元処理なども実行可能となっている。また、撮像部５は制御部１の制御下で、露出などを変化させながら複数枚の撮影を行うブラケット撮影機能、フラッシュを駆動して撮影を行うフラッシュ撮影機能、１秒当たり複数コマの連続撮影機能を行う連写撮影なども実行可能となっている。
【００１５】
表示部６Ａは、タッチ入力表示部６を構成するもので、例えば、縦横比（横４：縦３）の異なる画面を有した高精細液晶ディスプレイ又は有機ＥＬ（Electro Luminescence）ディスプレイで、撮像された画像を表示するモニタ画面として機能したり、撮影済み画像を再生する再生画面として機能したりする。タッチ入力表示部６は、撮影者の指などでタッチ操作された位置を検知してその座標データを入力するタッチスクリーンを構成するもので、透明なタッチ入力部６Ｂが表示部６Ａの表示面全体に積層配設された構成となっている。なお、タッチ入力部６Ｂとしては、静電容量方式、抵抗皮膜方式、電磁誘導方式、圧電方式などの各種方式のうち、軽量化、光透過性、耐久性などに優れた静電容量方式を採用しているが、その他の方式であってもよい。
【００１６】
タイマ機能部７は、タイマ撮影用として使用されるもので、予め任意に設定されたタイマ時間を減算するカウントダウンタイマ（減算カウンタ）方式のソフトウエアタイマである。制御部１は、このソフトウエアタイマの計測時間（残り時間）が“０”秒（タイムアウト）となった際に、撮像部５にレリーズ信号を与えてタイマ撮影を開始させる。ここで、本実施形態においては、例えば、１０秒、２０秒、３５秒のように秒単位の複数のタイマ時間を設定可能なもので、制御部１は、この複数のタイマ時間に対応して複数のソフトウエアタイマを備え、各タイマの計測動作を同時に開始させるようにしている。
【００１７】
例えば、タイマ時間が１０秒、２０秒、３５秒の場合には、３種類の撮影開始タイマ（１０秒タイマ、２０秒タイマ、３５秒タイマ）７Ａの計測動作を同時に開始させるようにしている。また、“２０秒〜２５秒”のように時間範囲のあるタイマ時間であれば、撮影開始タイマ（２０秒タイマ）７Ａのほか、撮影終了タイマ（２５秒タイマ）７Ｂの計測動作を同時に開始させるようにしている。そして、制御部１は、複数の撮影開始タイマ７Ａの計測動作中において、いずれかの撮影開始タイマ７Ａがタイムアウトとなる毎にタイマ撮影を開始させ、また、撮影終了タイマ７Ｂがタイムアウトとなる毎にタイマ撮影を終了させるようにしている。このようにタイマ機能部７には、撮影開始タイマ７Ａ、撮影終了タイマ７Ｂを有するほか、連続して複数回撮影する連続撮影（連写撮影など）を制御するインターバルタイマ７Ｃを有している。
【００１８】
図２は、タッチ入力表示部６に表示されるタイマ撮影用画面を説明するための図である。
タイマ撮影用画面は、タイマ時間を設定する際に表示されたり、タイマ撮影時に表示されたりするもので、この画面にはその全体がハンディ型のストップウォッチ形状を成した時間目盛り画像ＴＧが表示されている。なお、この時間目盛り画像ＴＧは、全体が円形のストップウォッチ本体内に文字盤部が配置され、この文字盤部には１秒刻みの時間目盛りが数値表示されている。また、円形本体の外側部において時間目盛りの“６０秒”の位置には竜頭のフック部が表示され、“５秒〜１０秒”の位置と、“５秒〜１０秒”の位置には、ストップウォッチ用の押しボタン部がそれぞれ表示されている。
【００１９】
このようにタイマ撮影用画面に時間目盛り画像ＴＧが表示されている状態において、タッチ入力部６Ｂへのタッチ操作が行われると、制御部１は、時間目盛り画像ＴＧ上のタッチ位置を検出する。図示の例では、時間目盛りの“１０秒”及び“３５秒”付近がタッチ操作（シングル操作）され、かつ、“２０秒〜２５秒”までの間がスライドタッチ操作（なぞり操作）された場合を示している。このように時間目盛り画像ＴＧの任意の位置がタッチ操作されると、制御部１は、そのタッチ位置（シングルタッチ位置、なぞり範囲を特定するタッチ位置）を検出して、そのタッチ位置又はその近辺に対応する時間目盛り画像ＴＧ上の位置を識別可能に表示するようにしている。そして、このタッチ位置を対応する間目盛り表示上の時間に変換し、この変換した時間をタイマ撮影設定用のタイマ時間として、タイマ設定情報メモリ３Ｄに記憶保持するようにしている。
【００２０】
図３（１）〜（３）は、撮影方法（１）テーブル３Ｂ、撮影方法（２）テーブル３Ｃ、タイマ設定情報メモリ３Ｄを説明するための図である。
撮影方法（１）テーブル３Ｂは、タイマ撮影用画面が表示されている状態において、その時間目盛り画像ＴＧ上にタッチ操作が行われた際に、そのタッチの仕方（タッチ時間）に応じてタイマ撮影時の撮影方法を選択するためのテーブルで、図３（１）に示すように、「タッチ時間」、「撮影方法」の各項目を有している。「タッチ時間」は、タッチ位置での継続タッチ時間を示し、「撮影方法」は、タイマ撮影時にどのような種類の撮影を行うかを示している。図示の例は、「タッチ時間」が“〜１秒”、“１〜２秒”、“２〜３秒”、…に対応する「撮影方法」として“通常撮影”、“フラッシュ撮影”、“ブラケット撮影”、…が記憶されている場合を示している。
【００２１】
撮影方法（２）テーブル３Ｃは、タイマ撮影用画面が表示されている状態において、その時間目盛り画像ＴＧ上にタッチ操作が行われた際に、そのタッチの仕方（なぞり操作時のなぞり速度）に応じてタイマ撮影時の撮影方法（連写撮影時における連写間隔）を選択するためのテーブルで、図３（２）に示すように、「なぞり速度」、「撮影方法（連写間隔）」の各項目を有している。「なぞり速度」は、タッチしながら移動するなぞり操作が行われた場合の移動速度を示している。「撮影方法（連写間隔）」は、連写撮影時における撮影間隔を示している。図示の例は、「なぞり速度」“〜ｓ”、“ｓ〜ｔ”、“ｔ〜ｕ”、“ｕ〜”に対応する「撮影方法（連写間隔）」として“２コマ／秒”、“３コマ／秒”、“４コマ／秒”、“５コマ／秒”が記憶されている場合を示している。
【００２２】
タイマ設定情報メモリ３Ｄは、タイマ撮影用画面が表示されている状態において、その時間目盛り画像ＴＧ上へのタッチ操作が行われた場合に、そのタッチ操作に応じて得られたタイマ撮影に関する情報を一時記憶するタイマ撮影用のワーク領域であり、図３（３）に示すように、「タイマ時間」、「撮影方法」の各項目を有している。図３（３）は、図２に示すように時間目盛りの“１０秒”及び“３５秒”付近がタッチ操作（シングル操作）され、かつ、“２０秒〜２５秒”までの間がなぞり操作された場合に得られたタイマ撮影に関する情報として、「タイマ時間」には“１０秒”、“２０秒〜２５秒”、“３５秒”が記憶され、「撮影方法」には、そのタッチの仕方に応じて撮影方法（１）テーブル３Ｂ、撮影方法（２）テーブル３Ｃから得られた撮影方法が記憶された場合を示している。
【００２３】
次に、本実施形態におけるデジタルカメラ（撮像装置）の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２４】
図４及び図５は、電源投入に応じて実行開始されるデジタルカメラの全体動作のうち、本実施形態の特徴部分の動作概要を示したフローチャートである。
先ず、制御部１は、タイマ時間設定モードに切り換えられたかを調べたり（図４のステップＳ１）、タイマ撮影の開始を指示するタイマ撮影操作が行われたかを調べたり（図５のステップＳ１５）、レリーズ操作が行われたかを調べたり（図５のステップＳ２８）、その他の操作が行われたかを調べたりする（図５のステップＳ３０）。いま、その他の操作が行われたときには（ステップＳ３０でＹＥＳ）、例えば、露出設定、ズーム調整などの操作が行われたときには、その操作に応じた処理として、露出設定、ズーム調整などの処理を行う（ステップＳ３１）。また、レリーズ操作が行われたときには（ステップＳ２８でＹＥＳ）、撮像部５にレリーズ信号を与えて撮影処理を行う（ステップＳ２９）。その後、図４の最初のステップＳ１に戻る。
【００２５】
タイマ時間設定モードに切り換えられたときには（図４のステップＳ１でＹＥＳ）、タッチ入力表示部６にストップウォッチ形状の時間目盛り画像ＴＧを含むタイマ撮影用画面を表示させる（ステップＳ２）。このように時間目盛り画像ＴＧを表示させた状態において、時間目盛り画像ＴＧへのタッチ操作が行われたか、つまり、タイマ時間の設定操作が行われたかを調べ（ステップＳ３）、タッチ操作が行われるまで待機する。いま、時間目盛り画像ＴＧ上あるいはその近辺がタッチ操作されたときには（ステップＳ３でＹＥＳ）、タイマ時間の設定操作が行われたものとして次のステップＳ４に移り、タッチ操作はスライド操作（なぞり操作）であるかを調べ、なぞり操作でなければ（ステップＳ４でＮＯ）、そのタッチ位置を検出すると共に、そのタッチの仕方としてタッチ時間を検出する（ステップＳ５）。
【００２６】
そして、このタッチ位置を対応する時間目盛り画像ＴＧ上の時間に変換する（ステップＳ６）。例えば、図２に示すように、最初に時間目盛りの“１０秒”の位置あるいはその付近がタッチ操作（シングル操作）されたときには、そのタッチ位置を、それに対応する時間目盛り上の時間として“１０秒”に変換する。これによって変換された時間をタイマ時間としてタイマ撮影用画面に数値表示させる（ステップＳ７）。これによって図６（１）に示すようにタイマ撮影用画面には、タッチ位置毎にその時間目盛り上の時間が数値表示される。図示の例は、時間目盛りの“１０秒”の位置あるいはその付近へのタッチ操作（シングル操作）に応じて、その位置にふきだし図形が追加表示され、その図形内に時間を示す数値“１０”が挿入表示された場合を示している。この場合、ふきだし図形は、タイマ撮影前であることを明示するために所定の色（例えば、赤色）で識別表示（着色表示）される。なお、ふきだし図形内の数値“１０”は、黒色表示となっている。
【００２７】
次にステップＳ８に移り、このタッチ時間に基づいて撮影方法（１）テーブル３Ｂを検索し、「タッチ時間」を対応する「撮影方法」に変換する。すなわち、「タッチ時間」が“〜１秒”であれば、“通常撮影”、また、“１〜２秒”であれば、“フラッシュ撮影”、“２〜３秒”であれば、“ブラケット撮影”に変換する。そして、タイマ時間と撮影方法とを対応付けてタイマ設定情報メモリ３Ｄに記憶させる（ステップＳ９）。図３（３）では、「タイマ時間」の“１０秒”に対応する「撮影方法」として“通常撮影”が記憶された場合を示している。次に、タイマ時間の設定終了を指示する終了操作が行われたかを調べ（ステップＳ１０）、その終了指示操作が行われなければ（ステップＳ１０でＮＯ）、上述のステップＳ３に戻り、次のタイマ時間設定操作（タッチ操作）が行われるまで待機する。
【００２８】
そして、次のタイマ時間設定操作（タッチ操作）が行われると（ステップＳ３でＹＥＳ）、そのタッチ操作がなぞり操作であれば（ステップＳ４でＹＥＳ）、そのタッチの開始位置から終了位置までの範囲をなぞり範囲として検出すると共に、なぞり速度を検出する（ステップＳ１１）。なお、なぞり速度は、タッチの開始位置から終了位置までの距離に基づいて算出される。そして、なぞり範囲を時間に変換する（ステップＳ１２）。つまり、なぞり範囲の開始位置及び終了位置を対応する時間目盛り上の時間にそれぞれ変換する。例えば、図２に示すように“２０秒〜２５秒”までの間がスライドタッチ操作（なぞり操作）されたときには、そのタッチ開始位置を“２０秒”に変換し、タッチ終了位置を“２５秒”に変換して、その“２０秒〜２５秒”の間を連続撮影時間とする。
【００２９】
そして、タイマ撮影用画面内になぞり範囲を識別表示させる（ステップＳ１３）。例えば、時間目盛りの“２０秒〜２５秒”までの間がなぞり操作されたときには、図６（１）に示すように、なぞり操作された近辺になぞり範囲を明示する弧状の図形を追加表示させて、なぞり範囲を識別表示させる。この場合、なぞり範囲を示す弧状の図形は、タイマ撮影前であることを明示するために所定の色（例えば、赤色）で識別表示（着色表示）される。そして、次のステップＳ１４に移り、なぞり速度に基づいて撮影方法（２）テーブル３Ｃを検索し、「なぞり速度」を対応する「撮影方法（連写間隔）」に変換する。
【００３０】
ここで、「なぞり速度」が“〜ｓ”であれば、“２コマ／秒”、また、“ｓ〜ｔ”であれば、“３コマ／秒”、…に変換し、このタイマ時間と撮影方法とを対応付けてタイマ設定情報メモリ３Ｄに記憶させる（ステップＳ９）。図３（３）は、「タイマ時間」の“２０秒〜２５秒”に対応する「撮影方法」として“連写撮影（３コマ／秒）”が記憶された場合を示している。ここで、タイマ時間の設定の終了を指示する終了操作が行われなければ（ステップＳ１０でＮＯ）、上述のステップＳ３に戻り、次のタイマ時間設定操作（タッチ操作）が行われるまで待機する。
【００３１】
いま、図２に示すように、時間目盛りの“３５秒”の位置あるいはその付近がタッチ操作（シングル操作）されたときには（ステップＳ４でＮＯ）、上述のステップＳ５〜Ｓ９に移り、そのタッチ位置をそれに対応する時間目盛り上の時間“３５秒”に変換し（ステップＳ６）、その変換時間をタイマ時間としてタイマ撮影用画面に数値表示させる（ステップＳ７）。この場合、図６（１）に示すように、時間目盛りの“３５秒”の位置あるいはその付近へのタッチ操作（シングル操作）に応じて、その位置にふきだし図形を追加表示させ、その図形内に時間を示す数値“３５”を挿入表示させると共に、タイマ撮影前であることを明示するためにふきだし図形を所定の色（例えば、赤色）で識別表示（着色表示）させる。なお、ふきだし図形内の数値“３５”は黒色表示としている。
【００３２】
次にステップＳ８に移り、このタッチ時間に基づいて撮影方法（１）テーブル３Ｂを検索し、「タッチ時間」を対応する「撮影方法」に変換し、このタイマ時間と撮影方法とを対応付けてタイマ設定情報メモリ３Ｄに記憶させる（ステップＳ９）。図３（３）の例は、「タイマ時間」の“３５秒”に対応する「撮影方法」として“フラッシュ撮影”が記憶された場合を示している。ここで、タイマ時間の設定終了を指示する終了操作が行われたときには（ステップＳ１０でＹＥＳ）、最初のステップＳ１に戻る。
【００３３】
一方、タイマ撮影の開始を指示する操作が行われたときには（図５のステップＳ１５でＹＥＳ）、タイマ設定情報メモリ３Ｄにタイマ時間が設定されているかを調べ（ステップＳ１６）、タイマ時間が設定されていなければ（ステップＳ１６でＮＯ）、タイマ撮影開始の指示操作を無効とするために図４のステップＳ１に戻るが、タイマ時間が設定されていれば（ステップＳ１６でＹＥＳ）、タイマ設定情報メモリ３Ｄからタイマ時間を読み出してタイマ機能部７に設定し（ステップＳ１７）、タイマ機能部７の計測動作を開始させる（ステップＳ１８）。この場合、タイマ設定情報メモリ３Ｄに複数のタイマ時間が記憶されている場合には、複数のタイマ時間を読み出して、対応するタイマに設定して各タイマの計測動作を同時に開始させる。
【００３４】
例えば、図３（３）の場合、タイマ設定情報メモリ３Ｄには、「タイマ時間」として“１０秒”、“２０秒〜２５秒”、“３５秒”が記憶されているため、この“１０秒”、“２０秒”、“３５秒”を撮影開始タイミングとして読み出して、３種類の撮影開始タイマ７Ａに設定して各撮影開始タイマ（１０秒タイマ、２０秒タイマ、３５秒タイマ）７Ａの計測動作を同時に開始させると共に、“２５秒”を連続撮影の撮影終了タイミングとして読み出して、撮影終了タイマ７Ｂに設定して、撮影終了タイマ（２５秒タイマ）７Ｂの計測動作を同時に開始させる。そして、いずれかのタイマの設定時間が経過したか（タイムアウトになったか）を調べ（ステップＳ１９）、タイムアウトになるまで待機する。この場合、「タイマ時間」“１０秒”、“２０秒〜２５秒”、“３５秒”が記憶されているので、撮影開始タイマ（１０秒タイマ）７Ａが最初にタイムアウトになり、そのことがステップＳ１９で検出されると、次のステップＳ２０に移り、タイムアウトしたタイマは撮影終了タイマ（この場合には２５秒タイマ）７Ｂであるかを調べる。
【００３５】
いま、撮影開始タイマ（１０秒タイマ）７Ａがタイムアウトとなった場合であるから（ステップＳ２０でＮＯ）、その「タイマ時間」の“１０秒”に対応付けられている「撮影方法」をタイマ設定情報メモリ３Ｄから読み出す（ステップＳ２１）。図３（３）の例では、「タイマ時間」の“１０秒”に対応する「撮影方法」として“通常撮影”が読み出される。次に、その「撮影方法」に応じた撮影処理（通常撮影）を開始（ステップＳ２２）した後、今回の撮影は、時間範囲のある撮影か、つまり、“２０秒〜２５秒”のような時間範囲をもった撮影（例えば、連写撮影）であるかを調べるが（ステップＳ２３）、いま、通常撮影を行った場合であるから（ステップＳ２３でＮＯ）、次のステップＳ２５に移り、その撮影が終了するまで（撮影された画像を取得するまで）待機する。
【００３６】
このようにして最初のタイマ時間に応じた撮影が終了すると（ステップＳ２５でＹＥＳ）、そのタイマ時間に対応する識別表示の表示形態を変更する（ステップＳ２６）。例えば、図６（１）に示すようにタイマ時間の“１０秒”の識別表示、つまり、赤色のふきだし図形の表示を、図６（２）に示すように青色表示に変更することにより、そのタイマ時間に応じたタイマ撮影が終了したことを明示する。次に、タイマ設定情報メモリ３Ｄに記憶されている各タイマ時間に応じた撮影が全て終了したかを調べるが（ステップＳ２７）、いま、最初のタイマ時間の撮影が終了した場合であるから（ステップＳ２７でＮＯ）、上述のステップＳ１９に戻って、他のいずれかのタイマがタスシステムアウトになるまで待機する。
【００３７】
この場合、次にタイムアウトとなるのは、撮影開始タイマ（２０秒タイマ）７Ａであり、その２０秒の経過時には（ステップＳ１８でＹＥＳ）、「タイマ時間」の“２０秒”に対応付けられている「撮影方法」をタイマ設定情報メモリ３Ｄから読み出す（ステップＳ２１）。図３（３）の例では、「タイマ時間」の“２０秒”に対応する「撮影方法」として“連写撮影（３コマ／秒）”が読み出される。そして、その「撮影方法」に応じたタイマ撮影処理（連写撮影）を開始するが（ステップＳ２２）、この場合、連続撮影の開始タイミングであるからインターバルタイマ７Ｃに１／３秒を設定してその計測動作を開始させることにより、１／３秒毎の連続撮影（連写撮影）を開始させる。
【００３８】
このようにして連続撮影（連写撮影）が開始されると、今回の撮影は、時間範囲のある撮影であるから（ステップＳ２３でＹＥＳ）、連続撮影中であることを明示するためにその表示形態を変更する（ステップＳ２４）。例えば、図６（２）に示すように、連写撮影の識別表示、つまり、なぞり範囲を示す弧状の図形（赤色表示）の近辺に、ふきだし図形を追加表示させ、その図形内に時間を示す数値“２０〜２５”を挿入表示させると共に、連続撮影中であることを明示するためにふきだし図形を所定の色（例えば、黄色）で識別表示（着色表示）させる。なお、ふきだし図形内の数値“２０〜２５”は黒色表示としている。
【００３９】
この連続撮影（連写撮影）中において、撮影終了タイマ（２５秒タイマ）７Ｂがタイムアウトしたか、つまりその撮影が終了したかを調べ（ステップＳ２５）、その撮影が終了するまで連続撮影（連写撮影）が継続される。ここで、撮影終了タイマ（２５秒タイマ）７Ｂがタイムアウトとなり、撮影が終了したときには（ステップＳ２５でＹＥＳ）、なぞり範囲の位置に表示されているふきだし図形（黄色）表示を青色に変更することにより、そのタイマ時間に応じたタイマ撮影が終了したことを明示する（ステップＳ２６）。以下、各タイマ時間に応じた撮影が全て終了するまで（ステップＳ２７でＮＯ）、上述のステップＳ１９に戻る。
【００４０】
このような連続撮影（連写撮影）後に、撮影開始タイマ（３５秒タイマ）７Ａがタイムアウトとなると（ステップＳ１９でＹＥＳ）、その「タイマ時間」の“３５秒”に対応付けられている「撮影方法」として“フラッシュ撮影”を読み出し（ステップＳ２１）、その「撮影方法」に応じた撮影処理（フラッシュ撮影）を開始する（ステップＳ２２）。この場合、今回の撮影は、時間範囲のある撮影ではないので（ステップＳ２３でＮＯ）、その撮影の終了に応じて（ステップＳ２５でＹＥＳ）、その表示形態を赤色から青色に変更する（ステップＳ２６）。ここで、各タイマ時間に応じた撮影が全て終了したことがステップＳ２７で検出されるので、最初の図４のステップＳ１に戻る。
【００４１】
以上のように、本実施形態において制御部１は、タッチ入力表示部６に時間目盛り画像ＴＧが表示されている状態において、タッチ入力部６Ｂ上がタッチ操作された際に、そのタッチ位置を時間目盛り表示上の時間に変換してタイマ撮影用のタイマ時間として設定するようにしたので、ユーザ操作によりタイマ撮影用として多くのタイマ時間を設定する場合であっても、簡単で直観的に分かり易い設定を実現することができ、操作性の大幅な向上を期待することが可能となる。
【００４２】
タッチ入力部６Ｂ上がタッチ操作された際に、そのタッチ位置又はその近辺に対応する表示部６Ａ上の位置を識別表示するようにしたので、複数のタイマ時間を設定した場合の一覧性が優れたものとなり、タイマ時間の全てを確認することができ、重複設定を避けることができるなど、確実な設定が可能となる。
【００４３】
複数のタッチ位置の個々に対応して変換された各時間がタイマ時間としてそれぞれ設定されるまでの間、複数のタッチ位置又はその近辺に対応する表示部６上の位置の識別表示を維持している状態において、この設定された複数のタイマ時間に応じてタイマ撮影を順次実行するようにしたので、時間目盛り画像ＴＧ上において、複数のタイマ時間を設定する場合の一覧性が優れたものとなると共に、複数のタイマ時間を設定したとしても、その複数のタイマ時間に応じてタイマ撮影を順次行うことが可能となる。
【００４４】
タッチ位置又はその近辺に対応する表示部６Ａ上の位置に、変換した時間（タイマ時間）を数値表示させると共に、タイマ撮影が開始されるまでの間、タッチ位置又はその近辺に対応する表示部６上の位置の識別表示を維持するようにしたので、タッチ操作で指定した時間を正確に知ることができ、更に、タイマ時間を変更する場合にはタッチ位置を変えればよく、所望のタイマ時間を容易に設定することが可能となる。
【００４５】
タッチ位置又はその近辺に対応する表示部６Ａ上の位置が識別表示されている状態において、タイマ撮影が終了したタイマ時間に対応する識別表示の表示形態を変更するようにしたので、複数のタイマ時間を設定した場合であっても、タイマ撮影の前後を容易に確認することができ、タイマ撮影の進行状況を容易に確認することができる。
【００４６】
タッチ操作がなぞり操作の場合にそのタッチの開始位置から終了位置までの範囲をなぞり範囲として検出すると共に、このなぞり範囲を時間目盛り表示上の時間に変換し、この時間を連続撮影時間として連続撮影を行うようにしたので、“２０秒〜２５秒”のような連続撮影時間をなぞり操作により容易に設定することができる。
【００４７】
なぞり範囲に応じて連続撮影を行う場合に連写撮影を行うようにしたので、連写撮影の連続撮影時間を容易に設定することができる。
【００４８】
連続撮影中にその識別表示の表示形態を変更するようにしたので、連続撮影中であることを容易に確認することができる。
【００４９】
タッチ位置と共にそのタッチの仕方を検出し、そのタッチの仕方に応じた種類の撮影方法でタイマ撮影を行うようにしたので、１回のタッチ操作で任意のタイマ時間及び撮影方法を同時に指定することができ、操作性の更なる向上と共に、タッチの仕方を変えることで様々な撮影方法を指定することができる。
【００５０】
タッチ操作中のタッチ時間をタッチの仕方として検出し、タッチ時間に応じた種類の撮影方法でタイマ撮影を行うようにしたので、タッチ時間を変えることで様々な撮影方法を指定することができる。
【００５１】
タッチ操作がなぞり操作の場合にそのタッチ速度を検出し、なぞり速度に応じた種類の撮影方法でタイマ撮影を行うようにしたので、なぞり速度を変えることで様々な撮影方法を指定することができる。
【００５２】
なぞり速度に応じた速度で連写撮影を行うようにしたので、連写速度を設定する際に感覚的に分かり易い設定が可能となる。
【００５３】
撮影方法の一つとしてフラッシュ撮影を選択可能としたので、撮影環境の変化に素早く対応することができる。
【００５４】
撮影方法の一つとしてブラケット撮影を選択可能としたので、撮影環境の変化に素早く対応することができる。
【００５５】
なお、上述した実施形態においては、タイマ撮影用画面にストップウォッチ形状を成した時間目盛り画像ＴＧを表示するようにしたが、この時間目盛り画像ＴＧの形状は任意であり、例えば、図７に示すような直線的な物差し（定規）形状であってもよい。この場合、時間目盛りは、５秒刻みで数値表示されている。図７（１）は、上述した図２の場合と同様に、時間目盛りの“１０秒”及び“３５秒”付近がタッチ操作（シングル操作）された場合を示すと共に、“２０秒〜２５秒”までの間がスライドタッチ操作（なぞり操作）された場合を示している。
【００５６】
図７（２）は、図６（１）の場合と基本的には同様で、時間目盛りの“１０秒”の位置あるいはその付近へのタッチ操作（シングル操作）に応じて、その位置に矢印付の円形の図形が追加表示され、その図形内に時間を示す数値“１０”が挿入表示された場合を示している。この場合、円形の図形は、タイマ撮影前であることを明示するために赤色で識別表示される。また、時間目盛りの“２０秒〜２５秒”までの間のなぞり操作に応じて、なぞり操作された近辺になぞり範囲を明示する矩形の図形を追加表示され、その矩形の図形は、タイマ撮影前であることを明示するために赤色で識別表示される。また、時間目盛りの“３５秒”の位置あるいはその付近へのタッチ操作（シングル操作）に応じて、その位置に矢印付の円形の図形が追加表示され、その図形内に時間を示す数値“３５”が挿入表示された場合を示している。この場合、円形の図形は、タイマ撮影前であることを明示するために赤色で識別表示される。
【００５７】
図７（３）は、図６（２）の場合と基本的には同様で、最初のタイマ時間“１０秒”の撮影が終了して、その円形の図形が赤色表示から青色表示に変更された状態を示している。更に、その矩形の図形（赤色表示）の近辺に、矢印付の円形の図形を追加表示させ、その図形内に時間を示す数値“２０〜２５”を挿入表示させると共に、連続撮影中であることを明示するために円形の図形を黄色で識別表示させた状態を示している。このように時間目盛り画像ＴＧを直線的な物差し形状としても図６（１）、（２）と同様の表示が可能となる。その他、時間目盛り画像ＴＧの形状は任意であり、例えば、三角形状などであってもよい。また、識別表示として色を変更するようにしたが、点滅表示など、識別表示の形態は任意である。
【００５８】
また、上述した実施形態においては、タッチ操作時のタッチの仕方として、タッチ時間やなぞり速度に応じて撮影方法を任意に指定するようにしたが、これに限らず、タッチの強さであってもよい。図８に示す撮影方法（３）テーブル３Ｅは、は、タッチの強さに応じてタイマ撮影時の撮影方法を選択するためのテーブルで、「タッチ強度」、「撮影方法」の各項目を有している。図示の例は、「タッチ強度」の“〜a”、“a〜b”、“b〜c”、…に対応する「撮影方法」として、“通常撮影”、“フラッシュ撮影”、“ブラケット撮影”、…が記憶されている場合を示している。このようにタッチの強さに応じて撮影方法を選択可能とすれば、タッチの強さを変えることで様々な撮影方法を指定することができる。また、タッチ時間、なぞり速度、タッチの強さ以外にもタッチ回数、なぞり距離などに応じて撮影方法を選択可能としてもよい。
【００５９】
上述した実施形態においては、なぞり範囲に応じて連続撮影を行う場合に連写撮影を行うようにしたが、連続撮影としてバルブ撮影を行うようにしてもよい。これによってバルブ撮影の時間設定を容易に行うことができる。
【００６０】
上述した実施形態においては、ソフトウエアタイマとしたが、水晶発振子（図示省略）からの発振信号を計数する内蔵タイマ（ハードウエアタイマ）であってもよい。この場合、内蔵タイマ（ハードウエアタイマ）が割り込み信号（タイムアウト信号）を制御部１に与えると、制御部１は、タイマからの割り込み信号（タイムアウト信号）に応答して撮像部５にレリーズ信号を与えてタイマ撮影を開始させるようにすればよい。
【００６１】
また、上述した実施形態においては、タイマ時間の設定数に応じた複数のタイマを同時に動作させるようにしたが、複数のタイマ時間が設定された場合でも単一のタイマを使用してタイマ撮影を行うようにしてもよい。単一のタイマの場合には、複数のタイマ時間のうち、最も短いタイマ時間を単一のタイマに設定し、そのタイムアウト時に次に短いタイマ時間から最も短いタイマ時間を減算した時間を単一のタイマに設定するようにすればよい。例えば、複数のタイマ時間が１０秒、２０秒、３５秒であれば、最初に１０秒を単一のタイマに設定した後、そのタイムアウト時に２０秒−１０秒＝１０秒を単一のタイマに設定する。その後のタイムアウト時に３５秒−２０秒＝１５秒を単一のタイマに設定するようにすればよい。
【００６２】
また、上述した実施形態においては、デジタルカメラに適用した場合を示したが、カメラ機能付きパーソナルコンピュータ・ＰＤＡ（個人向け携帯型情報通信機器）・スマートフォンなどの携帯電話・音楽プレイヤーなどであってもよい。
【００６３】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６４】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
表示部上にタッチ入力部を備えた撮像装置であって、
予め任意に設定されたタイマ時間に応じてタイマ撮影を行うタイマ撮影手段と、
前記表示部に時間目盛りを表示する第１の表示制御手段と、
前記第１の表示制御手段により前記表示部に前記時間目盛りが表示されている状態において、前記タッチ入力部へのタッチ操作に応じて前記時間目盛り表示上のタッチ位置を検出する検出手段と、
前記検出手段により検出されたタッチ位置を、対応する前記時間目盛り表示上の時間に変換する変換手段と、
前記変換手段により変換された時間を前記タイマ撮影用のタイマ時間として設定する設定手段と、
を備えることを特徴とする撮像装置である。
（請求項２）
請求項２に記載の発明は、請求項１に記載の撮像装置において、
前記検出手段により検出されたタッチ位置又はその近辺に対応する前記表示部上の位置を識別可能に表示する第２の表示制御手段を更に備える、
ようにしたことを特徴とする撮像装置である。
（請求項３）
請求項３に記載の発明は、請求項２に記載の撮像装置において、
前記設定手段は、前記検出手段により検出された複数のタッチ位置の個々に対応して前記変換手段により変換された各時間をタイマ時間としてそれぞれ設定し、
前記第２の表示制御手段は、前記設定手段により設定された全てのタイマ時間が設定されるまでの間、前記複数のタッチ位置又はその近辺に対応する前記表示部上の各位置の識別表示を維持し、
前記タイマ撮影手段は、前記設定手段によって設定された複数のタイマ時間に応じてタイマ撮影を順次実行する、
ようにしたことを特徴とする撮像装置である。
（請求項４）
請求項４に記載の発明は、請求項２あるいは請求項３に記載の撮像装置において、
前記第２の表示制御手段は、前記検出手段により検出されたタッチ位置又はその近辺に対応する前記表示部上の位置に、前記変換手段により変換された時間を数値表示させ、前タイマ撮影手段によるタイマ撮影が開始されるまでの間、前記タッチ位置又はその近辺に対応する前記表示部上の位置の識別表示を維持する、
ようにしたことを特徴とする撮像装置である。
（請求項５）
請求項５に記載の発明は、請求項２あるいは請求項３に記載の撮像装置において、
前記第２の表示制御手段によってタッチ位置又はその近辺に対応する前記表示部上の位置が識別表示されている状態において、前記タイマ撮影手段によりタイマ撮影が終了したタイマ時間に対応する前記識別表示の表示形態を変更する、
ようにしたことを特徴とする撮像装置である。
（請求項６）
請求項６に記載の発明は、請求項１〜請求項５のいずれかに記載の撮像装置において、
前記検出手段は、前記タッチ入力部へのタッチ操作がなぞり操作の場合にそのタッチの開始位置から終了位置までの範囲をなぞり範囲として検出し、
前記変換手段は、前記検出手段により検出されたなぞり範囲を対応する前記時間目盛り表示上の時間に変換し、
前記タイマ撮影手段は、前記変換手段により変換された時間を連続撮影時間として連続撮影を行う、
ようにしたことを特徴とする撮像装置である。
（請求項７）
請求項７に記載の発明は、請求項６に記載の撮像装置において、
前記タイマ撮影手段は、前記なぞり範囲に応じて連続撮影を行う場合に連写撮影を行う、
ようにしたことを特徴とする撮像装置である。
（請求項８）
請求項８に記載の発明は、請求項６に記載の撮像装置において、
前記タイマ撮影手段は、前記なぞり範囲に応じて連続撮影を行う場合にバルブ撮影を行う、
ようにしたことを特徴とする撮像装置である。
（請求項９）
請求項９に記載の発明は、請求項６〜請求項８のいずれかに記載の撮像装置において、
前記検出手段により検出されたタッチ位置又はその近辺に対応する前記表示部上の位置を識別可能に表示する第２の表示制御手段を更に備え、
前記第２の表示制御手段は、前記タイマ撮影手段による連続撮影中に前記識別表示の表示形態を変更する、
ようにしたことを特徴とする撮像装置である。
（請求項１０）
請求項１０に記載の発明は、請求項１〜請求項９のいずれかに記載の撮像装置において、
前記検出手段は、タッチ位置を検出すると共にそのタッチの仕方を検出し、
前記検出手段により検出されたタッチ位置に関連付けてそのタッチ位置でのタッチの仕方をタイマ撮影に関する情報として記憶する撮影情報記憶手段を更に備え、
前記タイマ撮影手段は、前記撮影情報記憶手段に記憶されているタッチの仕方に応じた種類の撮影方法でタイマ撮影を行う、
ようにしたことを特徴とする撮像装置である。
（請求項１１）
請求項１１に記載の発明は、請求項１０に記載の撮像装置において、
前記検出手段は、前記タッチ入力部へのタッチ操作中のタッチ時間をタッチの仕方として検出し、
前記タイマ撮影手段は、前記検出手段により検出されたタッチ時間に応じた種類の撮影方法でタイマ撮影を行う、
ようにしたことを特徴とする撮像装置である。
（請求項１２）
請求項１２に記載の発明は、請求項１０に記載の撮像装置において、
前記検出手段は、前記タッチ入力部へのタッチ操作中のタッチの強さをタッチの仕方として検出し、
前記タイマ撮影手段は、前記検出手段により検出されたタッチの強さに応じた種類の撮影方法でタイマ撮影を行う、
ようにしたことを特徴とする撮像装置である。
（請求項１３）
請求項１３に記載の発明は、請求項１０に記載の撮像装置において、
前記検出手段は、前記タッチ入力部へのタッチ操作がなぞり操作の場合にそのなぞり速度を検出し、
前記タイマ撮影手段は、前記検出手段により検出されたなぞり速度に応じた種類の撮影方法でタイマ撮影を行う、
ようにしたことを特徴とする撮像装置である。
（請求項１４）
請求項１４に記載の発明は、請求項１３に記載の撮像装置において、
前記タイマ撮影手段は、前記検出手段により検出されたなぞり速度に応じた速度で連写撮影を行う、
ようにしたことを特徴とする撮像装置である。
（請求項１５）
請求項１５に記載の発明は、請求項１０〜請求項１４のいずれかに記載の撮像装置において、
前記タイマ撮影手段は、前記撮影方法の一つとしてフラッシュ撮影を行う、
ようにしたことを特徴とする撮像装置である。
（請求項１６）
請求項１６に記載の発明は、請求項１０〜請求項１４のいずれかに記載の撮像装置において、
前記タイマ撮影手段は、前記撮影方法の一つとしてブラケット撮影を行う、
ようにしたことを特徴とする撮像装置である。
（請求項１７）
請求項１７に記載の発明は、
予め任意に設定されたタイマ時間に応じてタイマ撮影を行うステップと、
表示部に時間目盛りを表示するステップと、
前記表示部に時間目盛りが表示されている状態において、前記表示部上のタッチ入力部へのタッチ操作に応じて前記時間目盛り表示上のタッチ位置を検出するステップと、
前記検出されたタッチ位置を、対応する前記時間目盛り表示上の時間に変換するステップと、
前記変換された時間を前記タイマ撮影用のタイマ時間として設定するステップと、
を含むことを特徴とする撮像処理方法である。
（請求項１８）
請求項１７に記載の発明は、
コンピュータに対して、
予め任意に設定されたタイマ時間に応じてタイマ撮影を行う機能と、
表示部に時間目盛りを表示する機能と、
前記表示部に時間目盛りが表示されている状態において、前記表示部上のタッチ入力部へのタッチ操作に応じて前記時間目盛り表示上のタッチ位置を検出する機能と、
前記検出されたタッチ位置を、対応する前記時間目盛り表示上の時間に変換する機能と、
前記変換された時間を前記タイマ撮影用のタイマ時間として設定する機能と、
を実現させるためのプログラムである。
【符号の説明】
【００６５】
１  制御部
３  記憶部
３Ａ  プログラムメモリ
３Ｂ  撮影方法（１）テーブル
３Ｃ  撮影方法（２）テーブル
３Ｄ  タイマ設定情報メモリ
３Ｅ  撮影方法（３）テーブル
５  撮像部
６  タッチ入力表示部
６Ａ  表示部
６Ｂ  タッチ入力部
７  タイマ機能部
７Ａ  撮影開始タイマ
７Ｂ  撮影終了タイマ
７Ｃ  インターバルタイマ
ＴＧ  時間目盛り画像
【図１】
0005979474.tif 000002
【図２】
0005979474.tif 000003
【図３】
0005979474.tif 000004
【図４】
0005979474.tif 000005
【図５】
0005979474.tif 000006
【図６】
0005979474.tif 000007
【図７】
0005979474.tif 000008
【図８】
0005979474.tif 000009